(57)【特許請求の範囲】
【請求項１】
紙葉類の複数箇所に記載された識別情報を読み取る読取部と、
前記読取部が読み取った識別情報の桁のうちいずれの箇所でも認識できない桁がある場合に、前記認識できない桁について、その桁の値とその桁の値の候補となる候補識別情報の値との一致度を前記箇所ごとに求め、求めた一致度が閾値以上となる候補識別情報のうち同じ候補識別情報について前記一致度を合算した合算一致度を算出し、算出した合算一致度のうち最大の合算一致度となる候補識別情報を、その桁の識別結果とする識別部と、
を備えることを特徴とする紙葉類識別装置。
【請求項２】
前記識別部は、前記最大の合算一致度以外の前記合算一致度が閾値以下である場合に、最大の合算一致度となった候補識別情報を、その桁の識別結果とする、
ことを特徴とする請求項１に記載の紙葉類識別装置。
【請求項３】
前記識別部は、前記識別情報の桁の値が前記候補識別情報の値によって識別できないと判定した場合、識別できなかった桁に、識別できなかった旨を示す識別符号を設定する、
ことを特徴とする請求項１または２に記載の紙葉類識別装置。
【請求項４】
前記読取部は、磁気的または光学的な画像情報として前記識別情報を読み取る、
ことを特徴とする請求項１〜３のいずれか１項に記載の紙葉類識別装置。
【請求項５】
紙葉類の複数箇所に記載された識別情報を読み取る読取ステップと、
前記読取部が読み取った識別情報の桁のうちいずれの箇所でも認識できない桁がある場合に、前記認識できない桁について、その桁の値とその桁の値の候補となる候補識別情報の値との一致度を前記箇所ごとに求め、求めた一致度が閾値以上となる候補識別情報のうち同じ候補識別情報について前記一致度を合算した合算一致度を算出し、算出した合算一致度のうち最大の合算一致度となる候補識別情報を、その桁の識別結果とする識別ステップと、
を含むことを特徴とする紙葉類識別方法。
【発明の詳細な説明】
【技術分野】
【０００１】
本発明は、紙幣等の紙葉類に記載されている、記番号等の識別情報を認識して紙葉類を識別する紙葉類識別装置、および紙葉類識別方法に関するものである。
【背景技術】
【０００２】
一般的に、紙幣、小切手、手形や商品券等の紙葉類（以下、これらを代表して単に紙幣と呼ぶ。）上には、その紙幣を一意に特定するための識別情報が記載されている。近年、例えば、金融機関等の店舗では、紙幣上から、識別情報として記番号を認識し、認識した記番号をデータベースに登録しておき、利用者が取引した紙幣を管理する紙幣管理装置等の紙葉類管理装置が設置されている。
【０００３】
また、諸外国では、金融機関の現金自動預け払い機（以下、単にＡＴＭ（Automated  teller  machine）と呼ぶ。）から偽造紙幣が出金されたというようなクレームが多発している。このため、金融機関では、その偽造紙幣が、実際に利用者が出金した紙幣であるか否かを記番号で管理する必要性がある。紙幣の記番号を読み取って管理することにより、偽造紙幣が出金されたというようなクレームが発生したとしても、その出金紙幣が、実際に利用者が取引した紙幣であるか識別可能となるため、このようなクレームに対処することができる。
【０００４】
しかしながら、従来の紙葉類管理装置では、紙幣上から記番号を文字認識する際、例えば、紙幣の汚れ等の紙幣の状態によっては、紙幣上の記番号が文字認識できないような場合も多数存在する。そのような場合に対応するために、例えば、特許文献１には、紙葉類の識別情報の認識において、複数の位置にある同一の識別情報を読み取ることで、ある識別情報の一部が認識不能あったとしても、他の識別情報で認識可能であれば、その内容で識別情報を特定することが可能な技術が開示されている。
【先行技術文献】
【特許文献】
【０００５】
【特許文献１】国際公開ＷＯ２０１０／０３２３３５号公報
【発明の概要】
【発明が解決しようとする課題】
【０００６】
しかしながら、上述した特許文献１に記載された技術では、同じ媒体の識別情報を識別し、複数の位置にある同一の識別情報の全てにおいて、不明な部分があった場合、識別情報を決定することができない。
【０００７】
そこで、本発明の目的は、複数の同一内容の識別情報の全てにおいて、不明な部分があった場合でも、識別情報を認識できる紙葉類識別装置、および紙葉類識別方法を提供することにある。
【課題を解決するための手段】
【０００８】
上述した課題を解決し、目的を達成するために、本発明にかかる紙葉類識別装置は、利用者との間で取引される紙葉類に記載された複数の識別符号から構成される、前記紙葉類を識別するための識別情報を読み取る読取部と、前記識別符号それぞれに対応する、前記識別符号の識別基準となる基準識別符号を記憶する記憶部と、前記読取部が読み取った前記識別情報を構成する前記識別符号と前記記憶部が記憶する前記基準識別符号とに基づいて、前記識別符号のそれぞれが前記基準識別符号のいずれかに一致するか否かを判定し、前記識別符号のそれぞれが前記基準識別符号のいずれにも一致しないと判定した場合、一致しないと判定された識別符号と、前記基準識別符号のそれぞれとが一致する度合いに基づいて前記識別符号を特定することにより、前記読取部が読み取った前記識別情報を識別する識別部と、を備えることを特徴とする。
【０００９】
また、本発明は、上記紙葉類識別装置で行われる紙葉類識別方法である。
【発明の効果】
【００１０】
本発明によれば、識別情報の認識性能の高い紙葉類識別装置を提供することが可能となる。
【図面の簡単な説明】
【００１１】
【図１】紙幣取り扱い装置の構成例を示す図である。
【図２】現金自動取り扱い装置の制御ブロックを示す図である。
【図３】現金自動取り扱い装置の概略を示す図である。
【図４】一般的な記番号の配置の例を示す図である。
【図５】記番号認識処理で求められる一致度の例を示す図である。
【図６】記番号認識のフローチャートである。
【発明を実施するための形態】
【００１２】
以下に添付図面を参照して、本発明にかかる紙葉類識別装置の実施の形態を詳細に説明する。なお、以下では、本発明にかかる紙葉類識別装置を紙幣取扱装置に適用した場合の例について説明しているが、これに限らず、例えば、商品券やくじ券、投票券といった、識別情報によって管理することが必要となる各種の券類、紙葉類にも適用することができる。
【００１３】
図１は、本実施の形態にかかる紙幣取扱装置１０６の構成を示す図である。紙幣取扱装置１０６は、後述するように、図２に示す現金自動取引装置１０３の一機能を構成するユニットあるいは装置である。図１に示すように、紙幣取扱装置１０６は、利用者である顧客が入金するために投入される紙幣を受け入れ、又は顧客が所望する紙幣を出金するために放出する入出金部１と、投入された紙幣を搬送する搬送路２と、搬送される各紙幣の金種、あるいはその真偽若しくは状態を判別する紙幣識別装置３と、を含んで構成されている。特に、この紙幣識別装置３は、当該紙幣の識別情報（例えば、紙幣に印刷された記番号など、紙幣を一意に識別するための識別情報）を読取る識別情報読み取り部１１５と、読み取られた識別情報を認識する識別情報認識部１１６と、を有している。
【００１４】
また、紙幣取扱装置１０６は、図１に示すように、上述した紙幣識別装置３のほか、物理的には、紙幣を一時的に保管する一時保管庫４と、流通に適さない紙幣を収納するためのリジェクト庫５と、搬送路２により搬送される紙幣の通過を検知する通過センサ６と、紙幣の搬送方向を切り換えるゲート７と、紙幣を収納する収納庫８および９と、紙幣取扱装置１０６の各部の動作を制御するＣＰＵ（Central  Processing  Unit）等の演算装置から構成される制御部（図２に示す制御部１０４）と、を有している。
【００１５】
図１に示すように、入出金部１内には、利用者が入金した紙幣を受け入れるホッパ１０と、主にリジェクトされた紙幣を利用者に放出して返却するリジェクトスタッカ１１とが含まれている。紙幣取扱装置１０６が紙幣を出金する場合、制御部１０４からの制御により、搬送路２を動作させ、収納庫８または９のいずれかから紙幣を搬出する。本実施の形態では、収納庫８および９は、入金された紙幣を出金にも供するリサイクル機能を備えたリサイクル庫である。具体的には、収納庫８および９に収納された紙幣は、以降の利用者による取引の際に出金紙幣として利用され、例えば、収納庫８には万円紙幣、収納庫９には千円紙幣を収納し、制御部１０４によって、そのリサイクル動作が設定されている。なお、リジェクト庫５は、上述したリサイクル機能を備えず、リジェクト庫５に収納された紙幣は、以降の利用者による取引の際に、利用されることはない。
【００１６】
図２は、ホストコンピュータ１０１、サーバ１０２と接続された紙幣取扱装置１０６を有した現金自動取引装置（ＡＴＭ（Automated  teller  machine））１０３のブロック図である。現金自動取引装置１０３は、銀行等の金融機関やコンビニエンスストア等に設置されるものであり、図３は、その現金自動取引装置１０３の外観を示している。ホストコンピュータ１０１およびサーバ１０２は、現金自動取引装置１０３の上位装置であり、現金自動取引装置１０３と取引情報の送受信や顧客情報の管理を行い、顧客の口座番号や口座に対応した預入金額などの取引情報を記憶する。紙幣取扱装置１０６の制御部１０４は、図１に示したゲート７の動作による紙幣の搬送先の決定や、搬送路２による紙幣の搬送の制御や、紙幣取扱装置１０６を構成する種々のユニット（入出金部１、紙幣識別装置３、記憶部１０５、１０７、１０８等）を制御する。
【００１７】
このように、制御部１０４は紙幣取扱装置１０６全体の制御を行う。なお、この制御を行うためのプログラム、ソフトウェア、ミドルウェア等の情報は、例えば、メモリ等の記憶媒体から構成される記憶部１０５に記憶され、現金自動取引装置１０３の起動時に、現金自動取引装置１０３からの指示に従って、制御部１０４が、各種のプログラムを記憶部１０５にロードし、上述した各部の動作を制御する。なお、この記憶部１０５は制御部１０４の一部として構成しても良い。
【００１８】
図１にて説明のとおり、紙幣識別装置３は、各紙幣の真偽、金種を判別する処理と共に、紙幣の識別情報を読み取る。なお、以下では、記憶部１０５のハードウェア構成は、物理的に１つであり、論理的に記憶部１０５のエリアを２つに分けて情報を記憶し、それぞれ記憶部Ａ１０７および記憶部Ｂ１０８と定義する。記憶部Ａ１０７は、一時保管庫４に一時的に保管された紙幣について、一時保管庫４から制御部１０４が決定した紙幣の搬送先に紙幣を搬送する際に識別情報読み取り部１１５が読み取り、その後、識別情報認識部１１６が判別した紙幣の識別情報を記憶する。また、記憶部Ａ１０７は、後述するように、個々の記番号が認識不能となった場合において比較対象の候補（基準）となる個々の記番号（例えば、英数字）や、その記番号のインクの色に関する情報（明度、彩度等）を記憶する。なお、以下では個々の記番号（各桁の記番号のそれぞれ）は識別符号を意味する。
【００１９】
一方、記憶部Ｂ１０８は、入出金部１に入金された紙幣を一時保管庫４に搬送する処理である紙幣の入金計数処理時に、紙幣識別装置３が読み取った紙幣の識別情報、紙幣識別装置３が判別した判別情報（紙幣の金種、真偽又は状態を判別した情報をいう。）、及び入金順番情報（入金計数時の紙幣の搬送順番をいう）を記憶する。
【００２０】
図２および図３において、通帳取扱装置１０９は、顧客から挿入される通帳を取り込み、主に通帳への記帳処理、印字処理を行い、これらの処理が行われた後の通帳を顧客に返却する。明細票発行装置１１０は、利用者との間で行われた取引の内容を印字した取引明細票を発行する。カード取扱装置１１１は、キャッシュカード等の磁気ストライプカードに貼付された磁気ストライプや、キャッシュカード等にＩＣチップが搭載されている場合には、そのＩＣチップの読み取り又は書き込み処理を行う。操作部１１２は、例えば、ＬＣＤ（Liquid  Crystal  Display）等のパネルであり、現金自動取引装置１０３において取引可能な操作画面を表示するとともに、顧客や係員、保守員からの操作入力を受付ける。本体制御部１１４は、現金自動取引装置１０３全体を制御し、本体制御部記憶装置１１３は、その制御のために必要なプログラム等やカードデータ等を記憶する。
【００２１】
現金自動取引装置１０３は、顧客との間で種々の取引を実行するが、代表的な取引として入金取引と出金取引とがある。入金取引では、顧客によって投入された紙幣を入出金部１が受け付け、その後、操作部１１２が顧客から投入した金額を確認するための操作を受け付ける。この際、操作部１１２に表示された金額で良いと判断した場合には、顧客は確認（ＯＫ）ボタンを押下して取引を終了する一方、操作部１１２に表示された金額で良くないと判断した場合には、顧客は返却（ＮＧ）ボタンを押下し、投入した紙幣を返却して取引を終了する。これらの異なる利用者の要求を満たすために、以下では、図１及び図２にて説明した紙幣取扱装置１０６では、１つの入金取引において、入金計数処理と入金収納処理との２つの機能を有しており、以下、入金計数処理について最初に概要を説明する。
【００２２】
入金計数処理では、まず、利用者により入出金部１に紙幣が投入されると、紙幣取扱装置１０６は、入出金部１のホッパ１０から紙幣を１枚ずつ分離し、搬送路２上に搬出する。搬送路２上を搬送される各紙幣は、紙幣識別装置３によって、搬出されたその金種や真偽が判別され、更には紙幣を判別する及び当該紙幣の識別情報を読み取る。このとき、紙幣取扱装置１０６の制御部１０４は、紙幣識別装置３の紙幣を判別した判別結果である判別情報に基づき、紙幣の搬送先を決定する。  この搬送先の決定においては、制御部１０４は、紙幣識別装置３により真券であると判別された紙幣の搬送先を、収納庫８，９の運用方法に合わせて決定する。例えば、収納庫８には万券を収納するとした運用方法においては、紙幣識別装置３により紙幣の種類が万券であると判別された場合は、制御部１０４は、当該紙幣の搬送先を収納庫８に決定する。
【００２３】
また、制御部１０４は、紙幣識別装置３により真券であると判別された紙幣であっても、汚れや破れありと判別された紙幣（流通に適さない紙幣）については、その搬送先をリジェクト庫５に決定する。汚れや破れのある紙幣は、流通に適さないためである。さらに、制御部１０４は、紙幣識別装置３により真券でない又は疑わしい紙幣と判別された紙幣の搬送先も、リジェクト庫５に決定する。紙幣識別装置３により真券でない又は疑わしい紙幣と判別された紙幣が、再度出金されると、法令等にてらして規則違反となるためである。また、制御部１０４は、紙幣識別装置３により金種が判別できない紙幣、寸法が異常な紙幣などであると判別された紙幣の搬送先を、入出金部１のリジェクトスタッカ１１に決定する。紙幣として認められないと判断し、利用者に返却するためである。
【００２４】
このように、紙幣取扱装置１０６は、紙幣識別装置３により判別された紙幣のうち、金種が判別できない、寸法が異常などの紙幣は一時保管庫４を介さずに入出金部１に搬送して利用者に返却するが、それ以外の紙幣（真券、偽券、疑わしい券等）は、真券と判別された紙幣を、制御部１０４が決定した搬送先に搬送する前に、一時保管庫４に搬送する。紙幣識別装置３により真券でない又は疑わしい紙幣であると判別された紙幣も、制御部１０４が決定した搬送先に搬送する前に、一時保管庫４に搬送する。
【００２５】
一方、入金計数処理における返却処理では、紙幣取扱装置１０６は、紙幣識別装置３により金種が判別できない紙幣、寸法が異常な紙幣などであると判別された紙幣については、一時保管庫４を介さずに、入出金部１のリジェクトスタッカ１１に搬送し、利用者に返却する。続いて、図１及び図２の紙幣取扱装置１０６を用いた紙幣の入金取引における入金収納処理の概要に関して説明する。
【００２６】
入金収納処理では、紙幣取扱装置１０６は、操作部１１２に紙幣を計数した結果を示し、利用者に対して利用者の入金した入金額との一致を確認させた後に、制御部１０４が決定した搬送先に紙幣を搬送するときの紙幣取扱装置１０６の処理を示す。また、紙幣取扱装置１０６は、操作部１１２にて表示した入金金額の確認において、上述した返却ボタンの押下によって利用者に入金取引を取り消されたとき時は、一時保管庫４に一時的に保管された計数した紙幣を入出金部１に返却する。
【００２７】
紙幣取扱装置１０６は、制御部１０４が決定した搬送先に従い、紙幣を一時保管庫４から搬送路２上に搬出する。搬送路２上に搬送される紙幣は紙幣識別装置３によって再び判別され、紙幣取扱装置１０６は、搬送路２上の通過センサ６で紙幣を監視し、ゲート７を切り替え、制御部１０４が決定した搬送先（収納庫８、収納庫９、リジェクト庫５）に紙幣を搬送し、各収納庫に収納する。最後に、図１及び図２の紙幣取扱装置１０６を用いた紙幣の出金取引における出金処理では、の概要を説明する。
【００２８】
出金処理では、紙幣取扱装置１０６は、出金庫４、収納庫８、９の各金種毎の収納庫（金庫）から所定の枚数づつ紙幣を繰出し、紙幣識別装置３で、紙幣を判別し、入出金部１に収納し、利用者に支払われる。このとき、出金リジェクトが発生した場合には、その紙幣は一時保管庫、リジェクト庫５に収納され、不足分の紙幣を収納庫８，９よりが追加して繰出す。このように、紙幣取扱装置１０６では、主として入金計数処理、入金収納処理、出金処理の３種類の処理が行われている。
【００２９】
ここで、紙幣識別装置３が紙幣上の識別情報である記番号を認識する処理について、図６を用いて説明する。
【００３０】
一般的に、図４に示すように、紙幣には１枚の紙幣上の２箇所に同じ記番号が記載されていることが多い。そこで、紙幣識別装置３は、図４のような紙幣が搬送されると、識別情報読み取り部１１５により、２箇所に記載された記番号（記番号Ａ、記番号Ｂ）を読み取り、識別情報認識部１１６で記番号の各桁において文字認識を行う（ステップＳ１０）。このとき、図５に示すように、識別情報認識部１１６による文字認識の結果が、例えば、図４に示した記番号Ａ、Ｂのうち、記番号Ａは“ＡＢＣ１２＊４＊６”、記番号Ｂは“ＡＢＣ１２＊４＊＊”であり、認識不能であった文字＊を含むものであったとする。
【００３１】
次に、識別情報認識部１１６は、各桁において記番号Ａ、記番号Ｂの両方が認識不能の文字であるか否かを判定する（ステップＳ１１）。そして、識別情報認識部１１６は、その判定結果が否である、すなわちいずれかの記番号が認識可能であると判定した場合（ステップＳ１１；Ｎｏ）、同じ桁に記載された認識可能な文字で、認識不能と判定された個々の記番号を確定する（ステップＳ２０）。例えば、上述した２つの紙幣の記番号のうち、９桁目は、記番号Ａが“６”記番号Ｂが“＊”であるため、その判定結果は否となり、認識不能であった記番号Ｂの９桁目の認識結果は“６”となる。
【００３２】
一方、識別情報認識部１１６は、その判定結果が両方の記番号が認識不能であると判定した場合（ステップＳ１１；Ｙｅｓ）、識別情報判別部１１６は、不明となった桁の記番号と、記憶部Ａ１０７が記憶する候補文字との一致度を計算し、一致度があらかじめ定められた閾値以上となった候補文字とその一致度とを対応付けて記憶部Ａ１０７に記憶する（ステップＳ１２）。この一致度は、例えば、基準となる実際に紙幣に印字される記番号のインクの色に関する情報（明度、彩度等）の値や、記番号の形状と、あらかじめ記憶部Ａ１０７に記憶されている記番号の形状との重複度合い等によって定められる。
【００３３】
なお、上述した候補文字とは、記番号を認識する対象となる文字や数字、記号等から構成される個々の記番号（記番号となる可能性のある情報の集合体）の候補を意味し、例えば、記番号が数字の場合、“０”，“１”，“２”，“３”，“４”，“５”，“６”，“７”，“８”，“９”が候補文字となる。また、上述した一致度とは、記番号を構成する候補文字との類似の度合いを示している。上記類似の度合いは、個々の記番号の形状によって、光学的、さらには磁気的に類似する度合いを示している。
【００３４】
例えば、図４に示した例では、認識不能となった記番号の桁は、数字の３桁目、５桁目は記番号Ａ、記番号Ｂともに認識不能である。そこで、識別情報認識部１１６は、それぞれの桁の記番号について、候補文字（例えば、０〜９の数字）との一致度を計算する。この場合、記番号Ａの３桁目の数字に対する候補文字と一致度とを求めると、図５に示すように、それぞれ、“０：２０％，１：１０％，２：３０％，３：８０％，４：１０％，５：３０％，６：４０％，７：１０％，８：６０％，９：４０％”であり、記番号Ａの５桁目の数字は、“０：２０％，１：３０％，２：４０％，３：２０％，４：１０％，５：６０％，６：４０％，７：１０％，８：４０％，９：４０％“であり、これらの値を対応付けて記憶部Ａ１０７に記憶する。
【００３５】
これと同様に、識別情報認識部１１６は、記番号Ｂの３桁目の数字は、”０：２０％，１：１０％，２：３０％，３：７０％，４：１０％，５：３０％，６：５０％，７：１０％，８：４０％，９：４０％“であり、記番号Ｂの５桁目の数字は、”０：２０％，１：３０％，２：４０％，３：２０％，４：１０％，５：４０％，６：５０％，７：１０％，８：４０％，９：４０％“であり、これらの値を対応付けて記憶部Ａ１０７に記憶する。
【００３６】
そして、例えば、閾値として５０％以上の一致度の候補文字とその一致度を記録することにすると、識別情報認識部１１６は、記番号Ａの３桁目は“３：８０％，８：６０％”、記番号Ａの５桁目は“５：６０％“、記番号Ｂの３桁目は”３：７０％，６：５０％“、記番号Ｂの５桁目は”６：５０％“を記憶部Ａ１０７に記憶する。
【００３７】
次に、識別情報認識部１１６は、各桁において記録した一致度を、各文字ごとに合算する（ステップＳ１３）。例えば、上述した例では、３桁目の候補文字”３”は、記番号Ａでは一致度が８０％”であり、記番号Ｂでは一致度が７０％であるため、合算された一致度は１５０％となる。これと同様に、３桁目の候補文字”６”の一致度は５０％、３桁目の候補文字”８”の一致度は６０％となる。また、５桁目の候補文字”５”の一致度は６０％、５桁目の候補文字”６”の一致度は５０％となる。
【００３８】
そして、識別情報認識部１１６は、各桁において、一致度の最大のもので、各文字の一致度を除算し、新たな一致度（一致割合）として記録する(ステップＳ１４）。例えば、３桁目の候補文字の一致度のうち最大のものは１５０（％）であるため、一致割合は、３桁目の候補文字“３”では１、候補文字“６”では０．３３、候補文字“８”では０．４となり、５桁目の候補文字“５”では１、候補文字“６”では０．８３となる。
【００３９】
次に、識別情報認識部１１６は、各桁において最大である一致割合以外の一致割合が、記憶部Ａ１０７に記憶された所定の閾値以下か否かを判定し（ステップＳ１５）、その一致割合が所定の閾値以下であると判定した場合（ステップＳ１５；Ｙｅｓ）、識別情報認識部１１６は、一致割合が最大である候補文字を、その桁の認識結果とする（ステップＳ１６）。例えば、所定の閾値が０．５である場合、３桁目では、その一致割合が所定の閾値以下であると判定され、一致割合が最大である“３”が３桁目の認識結果となる。
【００４０】
一方、識別情報認識部１１６は、その一致割合が所定の閾値以下ではないと判定した場合（ステップＳ１５；Ｎｏ）、一致割合が所定の閾値より大きい候補文字の組み合わせにより、特殊文字を定義する（ステップＳ３０）。例えば、所定の閾値が０．５である場合、５桁目では、その一致割合が所定の閾値以下ではないと判定され、５桁目の候補文字は”５”、”６”であるが、これらに代えて、例えば、“＃”といった特殊文字を定義する。
【００４１】
そして、識別情報認識部１１６は、各桁において定義された特殊文字を、その桁の認識結果として設定する（ステップＳ３１）。例えば、上述した例では、５桁目の認識結果は“＃”となる。このステップＳ３１またはステップＳ１６、ステップＳ２０の処理のうちのいずれかの処理が終了すると、図６に示した全ての処理が終了する。
【００４２】
このように、紙幣識別装置３は、例えば、上記のような手続きを全ての桁において行うことで、紙幣の識別情報である記番号を、従来の手法よりより高精度に決定することが可能となる。すなわち、複数の同一内容の記番号の全てにおいて、不明な部分があった場合でも、記番号を決定することが可能となる。例えば、上記記番号の一部の文字が識別不能であった場合、各文字の一致度が高い認識候補情報を基に識別不能である文字を決定する。
【００４３】
また、上記実施形態では紙幣上の異なる位置に記された２つの記番号を認識する場合の例について説明したが、例えば、入金計数処理、入金収納処理、出金処理等の各種の処理が実行されるタイミングで読み取られ、記憶部Ａ１０７に記憶された桁の記番号に関する一致度、一致割合等の情報を、これらの処理で共通して使用することも可能である。
【００４４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、さらに、異なる実施の形態にわたる構成要素を適宜組み合わせても良い。
【符号の説明】
【００４５】
１…入出金部
２…搬送路
３…紙幣識別装置
４…一時保管庫
５…リジェクト庫
６…通過センサ
７…ゲート
８…収納庫
９…収納庫
１０…ホッパ
１１…リジェクトスタッカ
１０１…ホストコンピュータ
１０２…サーバ
１０３…現金自動取引装置
１０４…制御部
１０５…記憶部
１０６…紙幣取扱装置
１０７…紙幣識別装置記憶装置Ａ
１０８…紙幣識別装置記憶装置Ｂ
１０９…通帳取扱装置
１１０…明細票発行装置
１１１…カード取扱装置
１１２…操作部
１１３…本体制御部記憶装置
１１４…本体制御部。
【図１】
0005538202.tif 000002
【図２】
0005538202.tif 000003
【図３】
0005538202.tif 000004
【図４】
0005538202.tif 000005
【図５】
0005538202.tif 000006
【図６】
0005538202.tif 000007